(57)【特許請求の範囲】
【請求項１】
ターゲットの表面に所定のエネルギー線源からエネルギー線を照射し、被写体に対する照射面積とほぼ同一の大きさとなるように前記ターゲットからＸ線を発生させる工程と、
前記Ｘ線を、水晶、グラファイト、ゲルマニウム、シリコン及びＬｉＦからなる群より選ばれる材料からなり、Ｘ線表面反射型結晶板として機能する平板状の結晶板又は平板状のＸ線用多層膜反射板に入射させ、前記Ｘ線から波長及び波長幅を選択されるとともに、平行光となった平行Ｘ線を生成する工程とを具え、
前記結晶板は２以上の組み合わせからなり、
前記エネルギー線により、前記ターゲット表面の、前記エネルギー線照射部の少なくとも一部を溶解することを特徴とする、Ｘ線発生方法。
【請求項２】
前記Ｘ線を前記結晶板又は前記Ｘ線用多層反射板に入射させる以前に、不要な長波長成分を除去するための吸収板及びスリットの少なくとも一方を透過させることを特徴とする、請求項１に記載のＸ線発生方法。
【請求項３】
前記吸収板はアルミ板であることを特徴とする、請求項２に記載のＸ線発生方法。
【請求項４】
エネルギー線照射によりＸ線を発生させるためのターゲットと、
前記Ｘ線が被写体に対する照射面積とほぼ同一の大きさとなるように前記エネルギー線を生成し、このエネルギー線を前記ターゲットに対して照射するためのエネルギー線源と、
前記Ｘ線を入射させ、前記Ｘ線から波長及び波長幅を選択するとともに、平行光となった平行Ｘ線を生成するための、水晶、グラファイト、ゲルマニウム、シリコン及びＬｉＦからなる群より選ばれる材料からなる平板状の結晶板又は平板状のＸ線用多層膜反射板とを具え、
前記結晶板は２以上の組み合わせからなり、
前記エネルギー線により、前記ターゲット表面の、前記エネルギー線照射部の少なくとも一部を溶解することを特徴とする、Ｘ線発生装置。
【請求項５】
前記Ｘ線を前記分光器に入射させる以前に、不要な長波長成分を除去するべく前記Ｘ線を透過させるための吸収板及びスリットの少なくとも一方を具えることを特徴とする、請求項４に記載のＸ線発生装置。
【請求項６】
前記吸収板はアルミ板であることを特徴とする、請求項５に記載のＸ線発生装置。
【発明の詳細な説明】
【技術分野】
【０００１】
本発明は、Ｘ線発生方法及びＸ線発生装置に関し、特に医療用として好適に用いることが可能なＸ線発生方法及びＸ線発生装置に関する。
【背景技術】
【０００２】
従来、医療用のＸ線撮影においては、所定のＸ線管球が用いられ、このＸ線管球から発せられるＸ線を被写体に照射するとともに、前記被写体を透過したＸ線をフィルムなどの所定の検出部において撮像あるいは検出し、その撮像あるいは検出した映像を解析することにより医療用に供していた。
【０００３】
例えば、従来のＸ線管においては、実効焦点１ｍｍ×１ｍｍから出たＸ線が広がって１０ｃｍ×１０ｃｍまで拡大して被写体に照射されるとすると、そのＸ線の輝度は（１ｍｍ×１ｍｍ）／（１００ｍｍ×１００ｍｍ）の割合だけ弱くなる。すなわち、被写体に照射されるＸ線の輝度は、照射直後の輝度に比較して１０−４まで減衰してしまう。
【０００４】
また、従来のＸ線管を医療用などに用いる場合においては、不要な成分をフィルターによりカットして使用する場合が大部分であった。しかし、この方法では目的とする波長成分を有効に取り出すには不十分であった。
【０００５】
一方、医療用、たとえば冠状動脈のように動いている被写体を高分解能で撮像するためには、平行性の良い高出力かつ高輝度Ｘ線を短時間露光する必要がある。しかしながら、従来のＸ線管球においては、被写体に照射される段階でのＸ線輝度は格段に減少してしまうとともに、前記Ｘ線の平行性も十分なものを得ることができないでいた。かかる観点より、従来のＸ線管球を特に医療用として使用するには、その使用態様が限定されてしまい、十分広範囲な医療に対して適用することができないでいた。
【発明の開示】
【発明が解決しようとする課題】
【０００６】
本発明は、上述の背景のもとでなされたものであり、広範囲な医療用途に対して適用することが可能な、高出力かつ高輝度で平行性に優れたＸ線を発生させることが可能なＸ線発生方法及びＸ線発生装置を提供することを目的とする。
【課題を解決するための手段】
【０００７】
上記目的を達成すべく、本発明は、
ターゲットの表面に所定のエネルギー線源からエネルギー線を照射し、被写体に対する照射面積とほぼ同一の大きさとなるように前記ターゲットからＸ線を発生させる工程と、
前記Ｘ線を分光器に入射させ、前記Ｘ線から波長及び波長幅を選択されるとともに、平行光となった平行Ｘ線を生成する工程と、
を具えることを特徴とする、Ｘ線発生方法に関する。
【０００８】
また、本発明は、
エネルギー線照射によりＸ線を発生させるためのターゲットと、
前記Ｘ線が被写体に対する照射面積とほぼ同一の大きさとなるように前記エネルギー線を生成し、このエネルギー線を前記ターゲットに対して照射するためのエネルギー線源と、
前記Ｘ線を入射させ、前記Ｘ線から波長及び波長幅を選択するとともに、平行Ｘ線を生成するための分光器と、
を具えることを特徴とする、Ｘ線発生装置に関する。
【０００９】
本発明においては、従来のようなＸ線管球に代えてＸ線発生のためのターゲットを用い、このターゲットに対してエネルギー線を照射するようにしている。したがって、前記ターゲットに対する前記エネルギー線の照射強度及び照射面積を適宜制御することにより、従来のＸ線管球では実現できなかったような高出力かつ高輝度であって、被写体に対する所望の大きさのＸ線を生成することができる。
【００１０】
また、本発明においては、前記ターゲットから発生したＸ線を分光器に入射させるようにしている。したがって、前記Ｘ線から前記被写体に対する照射面積とほぼ同一の面積を有する平行成分のＸ線のみを簡易に取り出すようにすることができる。さらに、前記Ｘ線を分光器に入射させることによって、取り出されたＸ線の波長成分は所定の範囲に限定されるようになる。
【００１１】
なお、前記分光器は結晶板を含むようにすることができる。この場合、前記結晶板を２以上組み合わせて用い、前記結晶板の内少なくとも一つは、Ｘ線表面反射型結晶板として機能するようにすることができる。また、前記結晶板の内少なくとも一つは、Ｘ線透過型結晶板として機能するようにすることができる。これによって、目的とする平行Ｘ線を簡易に得ることができる。さらに、これら結晶板の組み合わせ方法を適宜に設定することにより、平行のみならず単色のＸ線を得ることができる。
【００１２】
さらに、前記結晶板をLiFなどの立方晶から構成し、Ｘ線表面反射型結晶板及びＸ線透過型結晶板の双方として機能するようにすることができる。この場合、単一の結晶板に互いに直交する反射面が存在するので、反射角をαとすると、「両方の反射面からもαになる方向からＸ線を入射することにより、結晶板２枚分の機能を付加せしめることができるので、使用する結晶板の数を減少させた状態で目的とする平行Ｘ線を取り出すことができ、さらに次の結晶板で単色Ｘ線を得るようにすることができる。
【００１３】
また、上述した複数の結晶板の総てをＸ線表面反射型結晶板とすることもできるし、その総てをＸ線透過型結晶板とすることもできる。さらに、これらの結晶板を組み合わせて用いることができる。
【００１４】
前記結晶板は、例えば本発明のように断面積の大きいＸ線を用いる場合は、上述したリチウムフルオライド（LiF）に加えて、シリコン、グラファイト、ゲルマニウム及び水晶からなる群より選ばれる材料から構成することができる。これによって、ターゲットから発生したＸ線を入射させることによって、上述したような平行Ｘ線を簡易に形成することができる。
【００１５】
さらに、上記結晶板はＸ線用多層膜反射板を含むようにすることができる。このような多層膜反射板は、例えば本発明のような高輝度のＸ線を用いる場合は、２種以上の物質を周期的に層状に重ねた膜として構成することができ、Ｘ線の回折現象を利用して単色或いは一定幅のＸ線を取り出しうる多層膜を意味する。この場合、前記多層膜反射板の周期により取り出される波長と反射角の関係が決まる。また、層の数や周期を微少量変化させることによって反射Ｘ線幅を変えることが出来る。本態様によれば、ターゲットから発生したＸ線を入射させることによって、上述したような平行Ｘ線を簡易に形成することができる。
【００１６】
以上から、本発明によれば、所定の波長成分の平行Ｘ線を高出力かつ高輝度で得ることができるとともに、被写体の照射面積とほぼ同一の大きさの平行Ｘ線を得ることができるので、前記平行Ｘ線を例えば医療用として用いることにより、従来のＸ線管球に代わる高出力及び高分解能の医療用のＸ線源を提供することができる。したがって、従来のＸ線管球では撮像が困難であった、冠状動脈のように動いている被写体のＸ線撮影も、前記高出力に起因した短時間露光が可能となるとともに、その高分解能に起因して高い解像度で得ることができるようになる。
【００１７】
具体的には、例えば非イオン性沃素を造影剤として静脈より注入し、沃素吸収端（エネルギー表現では33.17KeV、波長に換算すると0.3738Å）の前後のイメージを同時刻的に撮影し、差分法により血管を明瞭に浮かび上がらせる事が出来る。この技術は、高エネルギー放射光（日本ではKEKにある6GeVリングの放射光及び8GeVのSPring-8放射光）を用いて、完成されているが、医療現場にかかる高エネルギー放射光リングを建設することは難しいことから、実用化されていない。したがって、本発明によれば、このような撮像を可能とすることができる。
【００１８】
なお、上記Ｘ線を分光器に入射することにより平行成分のＸ線が得られる理由は、結晶やＸ線用多層膜などの分光器にＸ線を照射すると2dsinθ= nλ（braggの式）に従ってＸ線が回折される。ここでｄは結晶或いはＸ線用多層膜の面間隔、θは面に対するＸ線の入射角、λはＸ線の波長、ｎは整数である。ｄは結晶及びその面指数に固有の数値であり入射角；θが決まると波長λが決まる、但し、ｎ倍の倍音を含む。波長λが単色Ｘ線で有ればθも一定となるので、その方向のＸ線は平行になる、然しその方向以外は平行ではない、従ってもう一枚の結晶を反射面が最初の結晶と直角になるように置き、その面で前記と同様に反射させることにより全方位で平行なＸ線を得ることができる。
【００１９】
さらに、本発明の一態様においては、上記ターゲットから発生したＸ線を上記分光器に入射させる以前に、不要な長波長成分を除去するための吸収板及びスリットの少なくとも一方を透過させるようにすることができる。これによって、すなわち低エネルギーのＸ線成分を効果的かつ効率的に除去するようにすることができる。例えば、前記吸収板はアルミ板から構成することができる。また、前記吸収板を用いる場合については、分光器に対する不必要な熱負荷を減らすことができるようになる。
【００２０】
なお、前記アルミ板は、ターゲットから発生したＸ線の強度に依存してその厚さを決定するが、本発明の場合、１〜１０ｍｍのオーダに決定することができる。
【００２１】
また、上述したように、２つの反射面が互いに直角になるように結晶板を組み合わせて用いることにより平行Ｘ線を選択でき、更にもう一枚の結晶板で、余分な波長成分を効果的に取り除くことができるようになる。この場合、２以上の結晶板は互いに異なる結晶板とすることもできるが、同一の結晶板を２以上組み合わせることによっても、前記目的を達成することができる。
【００２２】
また、本発明の他の態様においては、前記エネルギー線を好ましくは前記ターゲットの、前記エネルギー線の照射部の少なくとも一部、若しくは全体が溶解するようにして照射することが好ましい。前者の場合、前記エネルギー線を、前記ターゲットを構成する材料の温度がその融点近傍にまで上昇することを許容するような強度で、前記ターゲットに照射することができるので、前記ターゲットから高強度のＸ線を発生させることができる。なお、この際にはターゲット表面に被膜を形成し、前記ターゲット表面からの蒸発速度を低減するようにすることができる。前記被膜は、ＢＮ、グラファイト、ダイヤモンド、Ｂｅなどからなる群から選ばれる材料から構成することができる。
【００２３】
後者の場合、前記同様に、前記エネルギー線を、前記ターゲットを構成する材料の温度がその融点近傍にまで上昇することを許容するとともに、前記ターゲット表面の前記エネルギー線が照射された部分を逐次溶解するようにしているので、前記ターゲット表面は前記溶解に伴って逐次平坦化処理がなされることになり、前記ターゲット表面は前記エネルギー線照射中において常に平坦な状態を保持するようになる。したがって、前記ターゲット表面の荒れに起因したＸ線の吸収などが生じることがない。この結果、高輝度のＸ線を長時間安定的に生成することができるようになる。
【００２４】
さらに、本発明のその他の態様においては、前記ターゲットは回転式対陰極を構成し、
前記エネルギー線は前記回転式対陰極の回転による遠心力に抗して存在する部分に照射するようにする。これによって、前記ターゲットの、前記エネルギー線が照射された部分が溶解した場合においても、この溶解部分が外方へ飛散するのを効果的に抑制することができるようになる。また、前記ターゲット上の前記エネルギー線の照射位置を回転軸方向に沿って簡易にシフトさせることができるので、高輝度のＸ線をより長時間安定的に発生させることができる。
【００２５】
但し、上述した回転式対陰極は構造が複雑となり、装置自体が高価となるので、本発明においては、安価な固定式のターゲットを用いることもできる。
【００２６】
前記回転式対陰極は、前記回転式対陰極の外縁に沿って設けた筒状部分を有し、前記エネルギー線は前記筒状部分の内壁表面に照射するようにすることもできる。この場合、前記筒状部分において溶解が生じることになるので、このような溶解部分が外方へ飛散するのをより効果的に抑制することができる。
【００２７】
また、前記筒状部材の側壁を前記中心軸側へ向けて傾斜させ、前記回転式対陰極の、前記電子線を照射した前記部分の、溶解に伴う飛散をさらに抑制するようにすることもできる。一方、前記筒状部材の側壁を前記中心軸から外方へ向けて傾斜させ、溶解部分の外方への飛散を抑制した状態で、前記回転式対陰極から発生した前記Ｘ線の取り出しを容易にすることもできる。
【００２８】
さらに、前記回転式対陰極の、前記エネルギー線が照射される前記部分をＶ字溝状又はＵ字溝状に形成し、エネルギー線照射による溶解部分の飛散をより効果的に抑制するようにすることもできる。この際、前記Ｖ字溝状又は前記Ｕ字溝状に形成された前記部分は、前記エネルギー線照射による溶解後の、前記遠心力が作用した場合の形状と略同形状に形成することができる。これによって、前記ターゲットの表面荒れをより効果的に抑制することができ、高輝度のＸ線を長時間安定的に発生するようにすることができる。
【００２９】
また、本発明の他の態様においては、前記ターゲットの、前記エネルギー線が照射される前記部分の周囲を、前記ターゲットの、前記Ｘ線発生に寄与するターゲット材料よりも高融点及び／又は高熱伝導度の物質で構成する。これによって、ターゲット全体の冷却効率の向上が図れるとともに、ターゲット全体の変形を防止することができるようになり、高輝度のＸ線を長時間安定的に発生させるようにすることができる。
【００３０】
具体的に、Ｘ線発生のためのターゲットは、そのターゲット材料の、前記エネルギー線を照射する側に対する裏面において冷却水を流し、前記ターゲット材料、すなわち前記ターゲットを逐次冷却するようにしている。しかしながら、前記エネルギー線の強度をあまりに高くし過ぎたり、所定の箇所への照射時間が長時間化したりすると、前記ターゲット材料、すなわちターゲット自体が前記エネルギー線によって貫通し、前記冷却水がＸ線発生側に漏洩したりして、実質上装置の使用を不可能にしてしまう場合がある。
【００３１】
したがって、前記ターゲットを特に、前記ターゲット材と、このターゲット材の裏面に設けた前記高融点及び／又は高熱伝導度の物質との２重構造とし、前記エネルギー線を前記ターゲット材に照射して前記Ｘ線を発生させるとともに、前記物質の裏面側に前記ターゲット材に対する冷媒を流すように構成することによって、前記物質の高融点の効果による高耐熱性の効果及び／又は高熱伝導性の効果による高冷却性の効果とによって、前記ターゲットが前記エネルギー線照射によって貫通するのを抑制し、前記冷媒の漏洩を効果的に抑制することができるようになる。
【００３２】
但し、上述した回転式対陰極は構造が複雑となり、装置自体が高価となるので、本発明においては、安価な固定式のターゲットを用いることもできる。
【発明の効果】
【００３３】
以上説明したように、本発明によれば、広範囲な医療用途に対して適用することが可能な、高出力かつ高輝度で平行性に優れたＸ線を発生させることが可能なＸ線発生方法及びＸ線発生装置を提供することができる。また、本発明は工業用としてナノマシーンの製作や集積回路の製作などに使用することが出来、更に一般研究室ではトポグラフィーやイメージングなど大面積、平行Ｘ線を必要とするあらゆる分野で使用することが出来る。
【発明を実施するための最良の形態】
【００３４】
以下、本発明のその他の特徴及び利点について、発明を実施するための最良の形態に基づいて説明する。
【００３５】
図１は本発明の一実施の形態に係るＸ線発生装置の構成を示す断面図であり、図２は図１の一部拡大図である。以下、これらの図を参照にしながら一実施の形態を説明する。
【００３６】
図に示すＸ線発生装置においては、回転式対陰極１が収納される対陰極室２と、電子線源３が収納される電子線源室４と、回転式対陰極１を回転駆動する駆動モータ５が設けられた回転駆動部６とが、互いに隣接するとともに気密構造部材２ａ、４ａ及び６ａによって隔離されて形成されている。また、対陰極室２と電子線源室４とを仕切る隔壁部２ｂには、電子線源３から射出される電子線３０を通過させるに必要な大きさの貫通孔２ｃが設けられている。さらに、対陰極室２及び電子線源室４の各々には図示しない真空排気装置が接続される真空排気□２ｄ及び４ｄが設けられている。なお、貫通孔２ｃの部分に管を設けるようにすることもできる。
【００３７】
なお、図においては、電子線３０は線状に描かれているが、電子線源３としては、以下に示すように、広照射面積の２極管式又は３極管式などを用いることができ、これらから発せられる電子線３０は比較的広い照射面積を有する。したがって、電子線３０は実際には所定の幅を有するものであるが、ここでは簡略化して線状に記載しているものである。したがって、貫通孔２ｃもこのような電子線３０を通過させるように、所定の大きさを有していることが必要となる。
【００３８】
回転式対陰極１は、Ｗ（タングステン）等からなる筒状部１１と、この筒状部１１の筒の一方の開口部を塞ぐように形成された円板状部１２と、筒状部１１及び円板状部１２の共通の中心軸をその中心軸とする回転軸部１３とが連続して一体に形成され、かつ内部は冷却水を流すことができるように空洞に形成されており、筒状部１１の筒の内壁表面１1ａを電子線照射部とするものである。
【００３９】
回転対陰極１の回転軸部１３は、回転駆動部６内に設けられた１対の軸受け部材１３ａ、１３ｂによって回転自在に支持されている。また、回転軸部１３の外周部には上記駆動モータ５の回転子５ｂが取付けられ、この回転子５ｂを回転駆動する固定子５ａが上記回転駆動部６内において気密構造部材６ａに取付けられている。
【００４０】
回転軸部１３の円板状部１２寄りの根元部には、回転軸部１３と気密構造部材６ａとの間を気密に保持して対陰極室２の真空を維持する回転軸シール部材１３ｃが設けられている。
【００４１】
さらに、回転対陰極１の内部には、電子線照射部１1ａの内壁面に冷却水を流通させるための固定隔壁部材１４が挿入設定されている。この固定隔壁部材１４は、回転軸部１３の内部においては筒状をなしており、円板状部１２に至ってその筒の端部を円板状に拡げ、筒状部１１の内部の右端部内壁の手前で延長されている。
【００４２】
すなわち、この固定隔壁１４は、回転式対陰極１の内部の空洞部分をいわば二重管構造に仕切っている。この二重管の外側管部１４ａは冷却水の導入口１６に連通されている。なお、冷却水の導入口１６から導入された冷却水は軸受け部材１３ｂや駆動モータ５が設けられた収納スペース内に洩れ出ないようにしつつ二重管の外側管部１４ａ内に導入されるようになっている。
【００４３】
したがって、冷却水導入口１６から導入された冷却水は、二重管の外側管部１４ａを進行し、上記筒状部１１の内部の右端部内壁で折り返して二重管の内側管部１４ｂに進行して電子線照射部１１ａの内壁面を冷却した後、内側管部１４ｂ内をさらに進行して冷却水の排出□１７を通じて外部に排出される。
【００４４】
回転式対陰極１の電子線照射部１１ａの近傍の気密構造部材２ａには、電子線照射部１１ａに電子線３０が照射されたときに発生するＸ線２０を外部に取り出すためのＸ線窓２１が形成されている。このＸ線窓２１にはべリリウム膜、アルミニウム膜、等のＸ線透過性の材料からなるＸ線透過膜２２が形成されており、対陰極室２の真空を維持しながらＸ線を取り出せるようになっている。なお、本例において、Ｘ線２０は被写体に対する実効的な照射面積とほぼ同じような大きさを有するため、Ｘ線窓２１の大きさも、前記Ｘ線の大きさに対応したようなものとする。
【００４５】
また、Ｘ線窓２１の外方には、Ｘ線２０を入射させ平行Ｘ線４０とするための分光器２０が設けられている。分光器２０は、例えばシリコン、リチウムフルオライド（ＬｉＦ）、グラファイト、ゲルマニウム及び水晶からなる群より選ばれる材料からなる結晶板や、Ｘ線用多層膜反射板から構成する。
【００４６】
さらに、これら結晶板には、以下に詳述するように、Ｘ線表面反射型結晶板として機能せしめることができ、Ｘ線透過型結晶板として機能せしめることができる。また、前記結晶板をLiFなどの立方晶から構成することにより、Ｘ線表面反射型結晶板及びＸ線透過型結晶板双方の機能を生ぜしめることができ、１枚の結晶板で平行化を達成することができる。そして、これらの機能を単独であるいは適宜に組み合わせて用いることにより、目的とする平行Ｘ線さらには単色Ｘ線を生成する。
【００４７】
なお、Ｘ線用多層膜反射板は、上述したように、２種以上の物質を周期的に層状に重ねた膜として構成することができ、Ｘ線の回折現象を利用して単色或いは一定幅のＸ線を取り出しうる多層膜を意味する。この場合、前記多層膜反射板の周期により取り出される波長と反射角の関係が決まる。また、層の数や周期を変化させることによって反射Ｘ線幅を変えることが出来る。
【００４８】
また、結晶板は２以上を組み合わせて用いることができる。これによって、余分な波長成分を効果的に取り除くことができるようになる。この場合、２以上の結晶板は互いに異なる結晶板とすることもできるが、同一の結晶板を２以上組み合わせることによっても、前記目的を達成することができる。
【００４９】
電子線源３は用途に応じて任意の照射領域を有する電子線源から構成することができる。例えば、図１及び２に示すＸ線発生装置を医療用として使用する場合は、以下に詳述するような工程を経て最終的に得る平行Ｘ線４０は数センチから数十センチのオーダの照射領域を有することが要求されるので、電子線源３としては比較的大きな照射領域を有する２極管式や３極管式のものを用いることが好ましい。なお、電子線源３には、高圧導入部３１から所定の電力が供給されるように構成されている。
【００５０】
次に、図１及び２に示すＸ線発生装置を用いたＸ線発生方法について説明する。上述の構成において、冷却水導入口１６から冷却水を導入し、騒動モータ５によって回転式対陰極１を高速回転させ、電子線源３から回転式対陰極１の電子線照射部１１ａに電子線３０を照射し、Ｘ線２０を発生させる。この際、電子線３０の強度は電子線照射部１１ａの少なくとも一部あるいは全部が溶解するような強度とする。
【００５１】
電子線照射部１１ａの少なくとも一部が溶解するような強度の電子線３０を照射することにより、回転式対陰極１を構成する材料（例えばＷなど）の温度をその融点近傍にまで上昇することができるようになる。したがって、回転式対陰極１（電子線照射部１１ａ）から高強度のＸ線を発生させることができるようになる。
【００５２】
また、電子線照射部１１ａの総てが溶解するような強度の電子線３０を照射することにより、前記同様に、回転式対陰極１を構成する材料（例えばＷなど）の温度をその融点近傍にまで上昇することができるようになるとともに、電子線照射部１１ａが回転式対陰極１の回転に伴って逐次溶解するようになるので、回転式対陰極１（電子線照射部１１ａ）の溶解に伴って逐次平坦化処理がなされることになり、回転式対陰極１（筒状部１１）の表面は電子線３０照射中において常に平坦な状態を保持するようになる。したがって、回転式対陰極１（筒状部１１）の荒れに起因したＸ線の吸収などが生じることがない。この結果、高輝度のＸ線２０を長時間安定的に生成することができるようになる。
【００５３】
なお、本例においては、回転式対陰極１（筒状部１１）の表面における電子線照射部１１ａの溶解に伴って、その表面荒れを表面平均粗さで１μｍ以下、さらには１００ｎｍ以下にまですることができる。すなわち、回転式対陰極１（筒状部１１）の表面を長時間に亘って極めて平坦に維持することができる。一方、従来の方法では、例えば回転式対陰極１の表面荒れは表面平均粗さで２〜１０μｍ程度である。したがって、本発明では、このような対陰極１の表面荒れの相違に基づいて、高輝度のＸ線を安定的に生成することができることが分かる。
【００５４】
また、本例では、電子線照射部１１ａは回転式対陰極１の筒状部１１の内壁面に設定しているので、この場合、筒状部１１の前記内壁面において溶解が生じることになる。したがって、電子線照射部１１ａは回転式対陰極１の回転に伴う遠心力に抗して存在するようになり、外方への飛散を効果的に抑制することができる。
【００５５】
なお、本例においては、回転式対陰極１の筒状部１１に対して特に変形加工を加えることなく、すなわち、筒状部１１の側壁が回転軸線（中心軸）に平行となる状態のままで、前記内壁面を電子線照射部１１ａとしている。しかしながら、電子線照射部１１ａの表面をその断面の表面輪郭線が回転軸線に対して、コンマ数度ないし十数度傾斜するようにすることもできる。
【００５６】
具体的には、筒状部１１の前記側壁を前記回転軸線に向けてコンマ数度ないし数十度の角度で傾斜するようにすることができる。この場合、電子線照射部１１ａは筒状部１１の内壁面上において遠心力に抗してより安定的に存在することができるようになる。したがって、電子線照射部１１ａの溶解による外方への飛散をさらに効果的に抑制することができるようになる。
【００５７】
一方、筒状部１１の前記側壁を前記中心軸から外方へ向けて傾斜させるようにすることもできる。この場合、電子線照射部１１ａの外方への飛散を抑制した状態で、回転式対陰極１から発生したＸ線の取り出しを容易にすることができる。
【００５８】
さらに、電子線照射部１１ａの部分を断面がＶ字溝状又はＵ字構状に形成すれば、電子照射部１１ａの溶解による外方への飛散を効果的に防止できる。この場合には、Ｖ宇状又はＵ字状の溝巾やその傾斜角度もしくは溝深さ等は、Ｘ線取り出しが可能な寸法にすることは勿論である。さらには、上記溝形状を、前記表面部分が溶解して液状になった場合に遠心力の作用によって形成される液状部の表面形状と同一の表面形状に予め形成しておけば、電子線照射部１１ａの電子線照射による表面変形を軽減することが可能になる。
【００５９】
また、電子線照射部１１ａの部分だけを、発生させるＸ線の種類で決まるターゲット物質で構成し、その周囲をより高融点の物質及び／又は熱伝導度のより高い物質で構成すれば、回転式対陰極１全体の冷却効率の向上が図れるとともに、回転式対陰極１全体の変形を防止することができるようになり、高輝度のＸ線を長時間安定的に発生させるようにすることができる。
【００６０】
さらに、回転対陰極１、特に電子線が照射される筒状部１１をターゲット材と、このターゲット材の裏面に設けた高融点及び／又は高熱伝導度の物質との２重構造とし、電子線３０を前記ターゲット材に照射してＸ線３０を発生させるとともに、前記物質の裏面側に前記ターゲット材に対する冷媒を流すように構成することによって、前記物質の高融点の効果による高耐熱性の効果及び／又は高熱伝導性の効果による高冷却性の効果とによって、回転対陰極１の筒状部１１が前記電子線照射によって貫通するのを抑制し、前記冷媒の漏洩を効果的に抑制することができるようになる。
【００６１】
なお、前記冷媒としては、冷却水、不凍液や冷却オイルなどの液体状のものを用いることができる。
【００６２】
以上のようにして回転式対陰極１（筒状部１１）から発生したＸ線２０は分光器４１に入射することにより、平行な成分のみが取り出されるようになり、平行Ｘ線４０が形成されるようになる。また、分光器４１により、平行Ｘ線４０は所定の波長成分のＸ線のみを含むようになる。したがって、平行Ｘ線４０を医療用などに用いた場合には、余分な波長成分を含まずかつ平行性が良いため、低被曝量かつ高分解能で所定の患部などの撮像を行うことができる。また、上述したように、Ｘ線２０は極めて高出力（高輝度）の状態で得ることができるので、平行Ｘ線４０も高い出力（輝度）状態で得ることができる。したがって、前述した平行Ｘ線４０の高分解能と効果と相伴って、冠状動脈などの被写体の動きを、短時間露光を通じて高分解能で撮像することができるようになる。
【００６３】
なお、本発明においては、電子線照射部１１ａを溶解させるようにしているので、対陰極室２内において、電子線照射部１１ａを構成する金属の蒸気圧が上昇し、Ｘ線透過膜２２が汚染される場合がある。これを防止するために、対陰極室２内のＸ線透過膜２２の前面に交換可能なＸ線透過性の保護膜を設けることが望ましい。この保護膜としては、例えば、反跳電子に耐えられるＮｉ膜、ＢＮ膜、Ａｌ膜、マイラー膜等の長尺状の保護膜をロールに巻いた供給ロールと、この供給ロールの保護膜を巻き取る巻取ロールとをＸ線窓２１の内側に設け、供給ロールと巻取ロールとの間に張られた保護膜がＸ線透過膜１ａの前面に配置されるようにすればよい。なお、前記保護膜の厚さは、前記反跳電子のエネルギーやＸ線の吸収などを考慮して適宜に設定する。
【００６４】
また、上記具体例においては、エネルギー線として電子線を用いているが、その他のエネルギー線、例えばレーザ光線やイオンなどのエネルギー線を適宜に用いるようにすることができる。
【００６５】
また、本例では、回転式対陰極１の、電子線３０の照射部分であって実際のターゲットとして機能する筒状部１１をＷから構成しているが、当然にその他の材料、例えばＭｏ、Ｃｕなどから構成するようにすることもできる。
【００６６】
さらに、本例では、回転式対陰極を用いているが、さほど高出力（高輝度）を要求しないような用途においては、電子線照射部を溶解させる必要がないので、通常の平板状の対陰極を用いることもできる。
【００６７】
図３は、平板状の固定式ターゲットを用いた場合のＸ線発生装置の一例を示す概略図である。なお、図1及び２と類似の構成要素に対しては同じ参照符号を用いて表している。この場合、特に大面積のＸ線が得られるようになり、分光器の構成が重要となるので、本例においては、分光器の構成についても詳述するようにしている。
【００６８】
図３に示すＸ線発生装置においては、真空容器５０内に、対陰極５１が配置されているとともに、これと対向するようにして陰極５２が設けられている。陰極５２はウエーネルト５３の内側にセラミックなどの絶縁体で固定され、通常陰極とウエーネルトには電位差が与えられ、ウエーネルトが電子線用のレンズとして機能している。
【００６９】
対陰極５１と陰極５２との間にはアパチャーグリッド５４及び陽極５５が設けられている。アパチャーグリッド５４は陰極に対し条件により異なるが概ね±7kV変化でき、負電位の時は電子を遮断し、正電位の時は陰極の空間電荷を中和し、多量の電子を効果的に引き出すのに用いられる。即ち、３極管ではアパチャーグリッドにより任意の幅のパルスを容易に発生させることが出来る。陽極５５は陰極５２から発せられた電子線３０を加速するため及びその後の電位差をなくし高温になったターゲットの影響を減らすために設けられているものであって、本例においては必要に応じて省略することができる。また、真空容器５０にはＸ線取り出し窓５６が設けられており、対陰極５１から発生したＸ線２０を外部に取り出させるように構成されている。
【００７０】
なお、通常グリッドは効率を良くするため網目状のものが多いが、それでは電子線束に編み目状の濃淡が出来るため、敢えて円筒形のグリッドを用いる、即ち電子線は円筒の中を通るため陰が出来ない。このようなグリッドをアパチュアーグリッドという。
【００７１】
なお、本例においては、対陰極５１及び真空容器５０即ちＸ線取り出し窓５６以外を全て絶縁性オイルで冷却するようにしているが、冷却を必要とする場所、特に対陰極５１にパイプを取り付け、所定の冷媒を循環させて冷却するようにすることもできる。
【００７２】
また、真空容器５０の外方の、Ｘ線取り出し窓５６の近傍には第1の結晶板６１及び第２の結晶板６２が所定の角度をなすようにして配置されている。
【００７３】
図３に示す装置においては、陰極５２から発生した電子線３０をグリッド５４で電流を制御し、陽極５５で加速して対陰極５１の表面に照射し、所定の面積（大面積）を有する（白色かつ非平行）Ｘ線２０を生成させる。次いで、Ｘ線２０をＸ線取り出し窓５６から外部に取り出し、LiFなど立方晶系の結晶からなる第1の結晶板６１及び任意の結晶からなる第２の結晶板６２で反射させることによって平行な単色Ｘ線４１とする。なお、６１は結晶板１枚で平行化を完成させるため、透過型結晶板である。
【００７４】
本例では、第１の結晶板６１及び第２の結晶板６２を用いているので、不要な波長成分を除去することができる。例えば平行なＸ線４１は入射角、反射角が第１の結晶板６１、第２の結晶板６２で共にαであるから第２の結晶板６２でも反射を起こしその後は直進して被写体に届く。しかし第１の結晶板６１で平行になった目的の波長とは異なるＸ線４０の第１の結晶板６１での入射角と反射角はβであるが、第２の結晶板６２での入射角はγとなりβとは異なるため反射しない。
【００７５】
なお、LiFなどの立方晶系を用いる代わりに、２枚の結晶板を互いの反射面が略直交するように張り合わせることによっても実施することができる。
【００７６】
なお、これらの結晶板は、図１及び２に関連して説明した結晶板と同じシリコン、リチウムフルオライド（LiF）、グラファイト、ゲルマニウム及び水晶からなる群より選ばれる材料から構成することができる。
【００７７】
次に、図３に示す平板状の固定式ターゲットを用いた場合のＸ線発生装置の変形例について説明する。図４は、前記変形例の概略図である。なお、図1〜３と類似の構成要素に対しては同じ参照符号を用いて表している。本例においては、Ｘ線発生装置本体は図３と同じ構成を有し、分光器の構成のみが図３に示す例と異なる。
【００７８】
図３に示すＸ線発生装置では、分光器は２枚の反射型結晶板６１及び６２によって構成されていたが、本例のＸ線発生装置では、分光器は２枚のＸ線透過型（ラウエ型）結晶板７１及び７３と、１枚のＸ線表面反射型結晶板７２とから構成されている。図４に示すように、これらの結晶板は、Ｘ線発生装置の本体から第１の結晶板７１、第２の結晶板７２及び第３の結晶板７３の順に配列されている。
【００７９】
なお、第２の結晶板７２は、反射面（主面）が紙面と略平行となっており、Ｘ線の反射は紙面の手前側に向かって行われることになる。また、第１の結晶板７１及び第３の結晶板７３の回折面（主面）は、紙面と略垂直となっている。したがって、第２の結晶板７２の反射面（主面）と、第１の結晶板７１及び第３の結晶板７３の回折面（主面）とは互いに略垂直の関係となる。また、例えば第一結晶板７１及び第二結晶板７２にシリコンのｄ（１１１）反射面を用い、第三結晶板７３にグラファイトのd’（２００）反射面を用いた場合、面間隔ｄとｄ’とが異なるため、第一結晶板に対する入射角δと第三結晶板に対する入射角δ’は異なるが、共に目的とする波長λに対して2dsinδ=λ、2d’sinδ’=λを満たすよう結晶を配置する。
【００８０】
図４に示す例では、図３に示す例と同様にして、対陰極５１から発生した所定の面積（大面積）を有する（白色かつ非平行）Ｘ線２０を、Ｘ線取り出し窓５６を介して外部に取り出した後、第１の結晶板７１に対して角度δで入射させる。この際、Ｘ線２０はブラックの回折式2dsinδ= nλに従って回折し、第１の結晶板７１内を通過する。この際、特に明示していないが、異なる波長λ’のＸ線が角度δ’’で入射した際に上記ブラックの回折式を満足すれば、同じく第１の結晶板７１を通過することができる。したがって、第１の結晶板７１を通過したのみでは、Ｘ線２０は未だ白色かつ非平行なＸ線のままである。
【００８１】
なお、Ｘ線２０が大面積Ｘ線として生成されているので、第一結晶板７１を通過した段階では波長λのＸ線は紙面に略平行な面に沿った平行成分を有するようになるが、その他の非平行成分も残存する。また、波長λ’のＸ線は波長λのＸ線とは異なる方向に回折するので、これらは互いに平行とはならない。
【００８２】
次いで、第１の結晶板７１を通過したＸ線２０は第２の結晶板７２に入射し、紙面手前側に反射されるようになる。そして、このようにして得た反射光を第３の結晶板７３に対して角度δ’で入射するようにすることによって、前記反射光の内、平行成分のみが第３の結晶板７３に対してブラッグの回折式を満足し、平行単色Ｘ線４１として取り出される。
【００８３】
なお、平行Ｘ線は、上述した要件を満足しさえすれば、波長λ及びλ’のＸ線、すなわち波長の異なるＸ線毎に平行Ｘ線として生成することができる。即ち、第３結晶板を変化するだけで任意の波長の平行Ｘ線を選び出すことが出来る。ただし、大きな波長変化に対しては、出射Ｘ線の断面積が狭くなることがある。その場合には第１結晶、第２結晶共に入射角を調整することにより上記電面積を元に戻すことが出来る。
【００８４】
以上、本発明を具体例を挙げながら詳細に説明してきたが、本発明は上記内容に限定されるものではなく、本発明の範疇を逸脱しない限りにおいてあらゆる変形や変更が可能である。
【００８５】
具体的には、図１及び２に関する具体例、並びに図３及び４に関する具体例において、対陰極の電子線照射部からの蒸発速度を低減させるべく、その表面に被膜を形成することができる。この被膜は、ＢＮ、グラファイト、ダイヤモンド、Beからなる群から選ばれる材料から構成することができる。
【図面の簡単な説明】
【００８６】
【図１】本発明の一実施形態に係るＸ線発生装置の構成を示す断面図である。
【図２】図１の一部拡大図である。
【図３】本発明の他の実施形態に係るＸ線発生装置の構成を示す図である。
【図４】図３に示すＸ線発生装置の変形例の構成を示す図である。
【符号の説明】
【００８７】
１  回転式対陰極
２  対陰極室
３  電子線源
４  電子線源室、
５  駆動モータ
６  回転駆動部
１１  筒状部
１１ａ  電子線照射部、
２０  Ｘ線
３０  電子線
４０  平行Ｘ線
４１  平行Ｘ線
５０  真空容器
５１  対陰極
５２  陰極
５３  ウエーネルト
５４  グリッド
５５  陽極
５６  Ｘ線取り出し窓
６１  第１の（Ｘ線表面反射型）結晶板
６２  第２の（Ｘ線表面反射型）結晶板
７１  第１の（Ｘ線透過型）結晶板
７２  第２の（Ｘ線表面反射型）結晶板
７３  第３の（Ｘ線透過型）結晶板
【図１】
0005426810.tif 000002
【図２】
0005426810.tif 000003
【図３】
0005426810.tif 000004
【図４】
0005426810.tif 000005